(57)【要約】【課題】  自動転写紙選択で原稿サイズ不定時においても、より適切なサイズの転写紙用紙を選択することができる画像形成装置を提供する。【解決手段】  給紙トレイごとの使用回数を記憶する記憶手段と、給紙トレイごとの使用回数を比較する比較手段を有し、自動転写紙選択での原稿サイズ不定時に、優先給紙トレイの使用回数が最も少なければ、最も使用回数が多い給紙トレイを選択し、この給紙トレイの転写紙サイズを原稿サイズとみなす。【選択図】  図４
2006184328.tif 000002
【特許請求の範囲】
【請求項１】
原稿サイズを検知する原稿サイズ検知手段と、原稿サイズから転写紙サイズを確定する転写紙サイズ確定手段と、転写紙サイズから給紙トレイを選択する自動転写紙選択手段と、自動転写紙選択での原稿サイズ不定時には優先給紙トレイを選択する優先給紙トレイ選択手段と、選択給紙トレイの転写紙サイズを原稿サイズと決定する原稿サイズ決定手段とを備える画像形成装置において、記憶手段と、前記記憶手段に前記給紙トレイごとの使用回数を記憶させる記憶制御と、前記給紙トレイごとの使用回数を比較する比較制御とを実行する制御手段を備え、前記制御手段は、自動転写紙選択での原稿サイズ不定時に、前記優先給紙トレイの使用回数が最も少なければ、最も使用回数が多い給紙トレイを選択し、この給紙トレイの転写紙サイズを原稿サイズとみなすことを特徴とする画像形成装置。
【請求項２】
原稿サイズ選択画面を表示する原稿サイズ選択画面表示手段をさらに備え、前記制御手段は、自動転写紙選択での原稿サイズ不定時に、前記優先給紙トレイの使用回数が最も少なければ、前記原稿サイズ選択画面を表示し、該原稿サイズ選択画面で選択された原稿サイズにより給紙トレイを選択することを特徴とする請求項１記載の画像形成装置。
【請求項３】
前記制御手段は、前記原稿サイズ選択画面でのサイズ表示順を給紙トレイ使用回数の多い順に表示することを特徴とする請求項２記載の画像形成装置。
【請求項４】
前記制御手段は、全給紙トレイの使用回数を算出する算出制御を行い、全トレイの使用回数が閾値に達しない場合は、前記給紙トレイごとの使用回数を参照しないことを特徴とする請求項１乃至３のいずれか１項記載の画像形成装置。
【発明の詳細な説明】
【技術分野】
【０００１】
本発明は、原稿サイズ確定処理において自動転写紙を選択することができる画像形成装置に関するものである。
【背景技術】
【０００２】
従来、原稿を読み取る際の条件の設定を容易に行うことができ、ユーザの負担を軽減すると共に誤操作を低減させることのできる画像読取装置、及びその制御方法が知られている（特許文献１）。
また、自動転写紙選択が不可能な原稿で自動転写紙選択機能（ＡＰＳ）を選択して複写を行おうとしたユーザに対して必要最小限の操作で複写ミスを減少させることができる画像形成装置が知られている（例えば特許文献２）。
また、原稿サイズを検知し、設定されたモード（変倍、編集）を加味し、転写紙サイズを選択し、転写紙サイズの給紙トレイを選択する自動転写紙選択機能（ＡＰＳ）は既に知られている技術である。
【特許文献１】特開２０００−０１０３６１公報
【特許文献２】特開２００３−０９１２１０公報
【発明の開示】
【発明が解決しようとする課題】
【０００３】
ところで、上記した自動転写紙選択機能は原稿サイズ検知により原稿サイズが確定できていることが前提であるため、原稿サイズ不定時にはユーザに対して警告を表示したり、初期設定で設定されている優先給紙トレイを仮確定し、この転写紙サイズを原稿サイズとみなしユーザに注意を促したりしているに過ぎない。
つまり、原稿サイズ不定時には、必ずしも最適な転写紙サイズの給紙トレイを選択していないという欠点があった。
そこで、本発明の目的は、自動転写紙選択で原稿サイズ不定時においても、より適切なサイズの転写紙用紙を選択することができる画像形成装置を提供することにある。
【課題を解決するための手段】
【０００４】
上記の課題を解決するために、請求項１に記載の発明は、原稿サイズを検知する原稿サイズ検知手段と、原稿サイズから転写紙サイズを確定する転写紙サイズ確定手段と、転写紙サイズから給紙トレイを選択する自動転写紙選択手段と、自動転写紙選択での原稿サイズ不定時には優先給紙トレイを選択する優先給紙トレイ選択手段と、選択給紙トレイの転写紙サイズを原稿サイズと決定する原稿サイズ決定手段とを備える画像形成装置において、記憶手段と、前記記憶手段に前記給紙トレイごとの使用回数を記憶させる記憶制御と、前記給紙トレイごとの使用回数を比較する比較制御とを実行する制御手段を備え、前記制御手段は、自動転写紙選択での原稿サイズ不定時に、前記優先給紙トレイの使用回数が最も少なければ、最も使用回数が多い給紙トレイを選択し、この給紙トレイの転写紙サイズを原稿サイズとみなす画像形成装置を特徴とする。
また、請求項２に記載の発明は、原稿サイズ選択画面を表示する原稿サイズ選択画面表示手段をさらに備え、前記制御手段は、自動転写紙選択での原稿サイズ不定時に、前記優先給紙トレイの使用回数が最も少なければ、前記原稿サイズ選択画面を表示し、該原稿サイズ選択画面で選択された原稿サイズにより給紙トレイを選択する請求項１記載の画像形成装置を特徴とする。
また、請求項３に記載の発明は、前記制御手段は、前記原稿サイズ選択画面でのサイズ表示順を給紙トレイ使用回数の多い順に表示することを特徴とする請求項２記載の画像形成装置を特徴とする。
また、請求項４に記載の発明は、前記制御手段は、全給紙トレイの使用回数を算出する算出制御を行い、全トレイの使用回数が閾値に達しない場合は、前記給紙トレイごとの使用回数を参照しないようにした請求項１乃至３のいずれか１項記載の画像形成装置を特徴とする。
【発明の効果】
【０００５】
本発明によれば、初期設定で設定されている優先給紙トレイの使用回数が最も少ないときに、使用回数の最も多い給紙トレイを選択し、この転写紙サイズを原稿サイズとみなすことにより、ユーザの使用頻度の高いサイズ選択を行うことが可能となる。
【発明を実施するための最良の形態】
【０００６】
以下、図面を参照して、本発明の実施の形態を詳細に説明する。
先ず図１乃至図６を参照して本実施の形態の画像形成装置について説明する。
図１は本発明による画像形成装置の実施の形態を示す概略図である。図２は操作部を示す概略図である。図３は図２に示した操作部の液晶タッチパネルの表示例を示した概略図である。図４はメインコントローラを中心に、制御装置を示す概略図である。図５は画像処理ユニット（ＩＰＵ）の内部構成を示すブロック図である。図６はセレクタにおける１ページ分の画像信号について説明するタイミングチャートである。
図１に示すような自動原稿送り装置（以後ＡＤＦ）１の原稿台２に原稿の画像面を上にして置かれた原稿束は、図２に示す操作部３０上のスタートキー３４が押下されると、一番下の原稿から給送ローラ３、給送ベルト４によってコンタクトガラス６上の所定の位置に給送される。また画像形成装置には、１枚の原稿を給送完了により原稿枚数をカウントアップするカウント機能を有している。
給送された原稿は読み取りユニット５０によってコンタクトガラス６上の原稿の画像データを読み取り後、読み取りが終了した原稿は、給送ベルト４及び排送ローラ５によって排出される。
さらに、原稿セット検知７にて原稿台２に次の原稿が有ることを検知した場合、前原稿と同様にコンタクトガラス６上に給送される。給送ローラ３、給送ベルト４、排送ローラ５は、図４に示す搬送モータ２６によって駆動される。
第１給紙トレイ８、第２給紙トレイ９又は第３給紙トレイ１０に積載された転写紙は、各々第１給紙装置１１、第２給紙装置１２、第３給紙装置１３によって給紙され、縦搬送ユニット１４によって感光体１５に当接する位置まで搬送される。
読み取りユニット５０にて読み込まれた画像データは、書き込みユニット５７からのレーザによって感光体１５に書き込まれ、現像ユニット２７を通過することによってトナー像が形成される。
そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【０００７】
後処理装置のフィニシャ１００は、本体の排紙ローラ１９によって搬送された転写紙を、通常排紙ローラ１０２方向と、ステープル処理部方向へ導くことができる。
切り換え板１０１を上に切り換えることにより、搬送ローラ１０３を経由して通常排紙トレイ１０４側に排紙することができる。また、切り換え板１０１を下方向に切り換えることで、搬送ローラ１０５，１０７を経由して、ステープル台１０８に搬送することができる。
ステープル台１０８に積載された転写紙は、１枚排紙されるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
一方、通常の排紙トレイ１０４は前後に移動可能な排紙トレイである。前後に移動可能な排紙トレイ１０４は、原稿毎、又は画像メモリによってソーティングされたコピー部毎に、前後に移動し、簡易的に排出されてくるコピー紙を仕分けるものである。
転写紙の両面に画像を作像する場合は、各給紙トレイ８〜１０から給紙され作像された転写紙を排紙トレイ１０４側に導かないで、経路切り換えのための反転ユニット（分岐爪）１１２を上側にセットすることで、いったん両面搬送ユニット１１１にストックする。
その後、両面搬送ユニット１１１にストックされた転写紙は再び感光体１５に作像されたトナー画像を転写するために、両面給紙ユニット１１１から再給紙され、経路切り換えのための分岐爪１１２を下側にセットし、排紙トレイ１０４に導く。このように転写紙の両面に画像を作成する場合に両面搬送ユニット１１１が使用される。
【０００８】
感光体１５、搬送ベルト１６、定着ユニット１７、排紙ユニット１８、現像ユニット２７は、図４に示すメインモータ２５によって駆動され、各給紙ユニット１１〜１３はメインモータ２５の駆動を、図４に示す各々給紙クラッチ２２〜２４を介して伝達駆動する。縦搬送ユニット１４はメインモータ２５の駆動を、図４に示す中間クラッチ２１を介して伝達駆動する。
また、図２に示す操作部３０には、液晶タッチパネル３１、テンキー３２、クリア／ストップキー３３、プリントキー（スタートキー）３４、予熱キー３５、リセットキー３６、割り込みキー３７があり、液晶タッチパネル３１には、図３に示すような機能キー４２、部数及び画像形成装置の状態を示すメッセージなどが表示される。
割り込みキー３７の押下により割り込み押下モードに移行する。割り込みモードは、コピー動作実行中及び操作中において一時的にコピー作業を割り込んでコピーをするときのモードである。
このモードを設定することにより、その前のコピーモード、及びコピー途中であればその途中経過情報を不揮発ＲＡＭに記憶し、割り込みモードに移行し、モードを初期化する。
コピー動作実行後、割り込みモード解除すると、不揮発ＲＡＭに記憶したモード及び情報を戻して割り込みモード設定前の状態を復帰させ、再スタートにて、割り込み前のモードを継続することができる。
初期設定キー３８を押すことで、機械の初期状態を任意にカスタマイズすることが可能である。機械が収納している用紙サイズを設定したり、コピー機能のモードクリアキーを押したときに設定される状態を任意に設定したりすることが可能である。
また、一定時間操作が無いときに優先して選択されるアプリケーション等も選択するとか、国際エネルギースター計画にしたがった低電力への移行時間の設定や、オートオフ／スリープモードへの移行する時間を設定することが可能である。
予熱キー３５を押すと、機械は待機状態から、電力低減状態に移行し、定着温度を低下させ、操作部３０の表示を消灯する。予熱状態は、国際エネルギースター計画で言う、低電力状態を意味している。また、予熱状態、オフ状態／スリープ状態を解除し、待機状態に移行させるには、この予熱キー３５を再度押下する。
新規予約キー３９は、予約コピーを行うときに使用する。ジョブ一覧キー４０の押下により、動作中のコピージョブの一覧を表示する。カラーモードキー４１は、カラーモードの選択時に使用する。必ずどれかが選択されていて、初期設定により初期値を設定することが可能である。
【０００９】
次に、図３に示した操作部３０の液晶タッチパネル３１の表示例について説明する。オペレータが液晶タッチパネル３１に表示されたキーにタッチすることで、選択された機能を示すキーが黒く反転する。
また、機能の詳細を指定しなければならない場合（例えば、変倍であれば変倍値等）は、キーにタッチすることで、詳細機能の設定画面が表示される。このように、液晶タッチパネル３１は、ドット表示器を使用しているため、そのときの最適な表示をグラフィカルに行うことが可能である。
次に、図４を参照してメインコントローラを中心に制御装置の構成を説明する。
メインコントローラ（制御手段）２０は画像形成装置全体を制御する。メインコントローラ２０には、オペレータに対する表示、オペレータからの機能設定入力制御を行う操作部３０、スキャナの制御、原稿画像を画像メモリに書き込む制御、画像メモリからの作像を行う制御等を行う画像処理ユニット（ＩＰＵ）４９、原稿自動送り装置（ＡＤＦ）１等の分散制御装置が接続されている。
各分散制御装置とメインコントローラ２０は必要に応じて機械の状態、動作司令のやりとりを行っている。また転写搬送等に必要なメインモータ２５、各種クラッチ２１〜２４も接続されている。
図１に戻り、画像形成装置の原稿読み取りから画像の書き込みまでの動作を説明する。読み取りユニット５０は原稿を載置するコンタクトガラス６と光学走査系で構成されており、光学走査系には、露光ランプ５１、第１ミラー５２、レンズ５３、ＣＣＤイメージセンサ５４等が包含される。
露光ランプ５１及び第１ミラー５２は図示しない第１キャリッジ上に固定され、第２ミラー５５及び第３ミラー５６は図示しない第２キャリッジ上に固定されている。
原稿像を読み取るときには、光路長が変わらないように、第１キャリッジと第２キャリッジとが２対１の相対速度で機械的に操作される。この光学走査系は、図示しないスキャナ駆動モータにて駆動される。原稿画像は、ＣＣＤイメージセンサ５４によって読み取られ、電気信号に変換されて処理される。
書き込みユニット５７はレーザ出力ユニット５８、結像レンズ５９、ミラー６０で構成され、レーザ出力ユニット５８の内部には、レーザ光源であるレーザダイオード及びモータによって高速で定速回転する多角形ミラー（ポリゴンミラー）が備わっている。
書き込みユニット５７から出力されるレーザ光が、画像作像系の感光体１５に照射される。図示しないが感光体１５の一端近傍のレーザビームを照射される位置に、主走査同期信号を発生するビームセンサが配置されている。
【００１０】
次に、画像処理ユニット（ＩＰＵ）４９の内部構成を図１及び図５を参照して説明する。露光ランプ５１から照射された光の反射をＣＣＤイメージセンサ５４にて光電変換し、図５に示すＡ／Ｄコンバータ６１にてデジタル信号に変換する。デジタル信号に変換された画像信号は、シェーディング補正６２が行われた後、画像処理部６３にてＭＴＦ補正、γ補正等が行われる。そして、変倍処理部７２を経由した画像信号は変倍率に合わせて拡大縮小され、セレクタ６４に供給さされる。セレクタ６４では、画像信号の送り先を、書き込みγ補正ユニット７１、又は画像メモリコントローラ６５への切り換えが行われる。書き込みγ補正ユニット７１を経由した画像信号は作像条件に合わせて書き込みγが補正され、書き込みユニット５７に送られる。画像メモリコントローラ６５とセレクタ６４間は、双方向に画像信号を入出力可能な構成となっている。
また、画像メモリコントローラ６５等への設定や、読み取りユニット５０及び書き込みユニット５７の制御を行うＣＰＵ６８、及びそのプログラムやデータを格納するＲＯＭ６９、ＲＡＭ７０を備えている。
さらにＣＰＵ６８は、メモリコントローラ６５を介して、画像メモリ６６のデータの書き込み、読み出しが行える。原稿画像で画像メモリコントローラ６５へ送られた画像は、メモリコントローラ６５内にある画像圧縮装置によって画像データを圧縮した後、画像メモリ６６に送られる。
【００１１】
ここで画像圧縮する理由は、最大画像サイズ分の２５６階調のデータをそのまま画像メモリ６６に書き込むことも可能であるが、１枚の原稿画像で画像メモリ６６を非常に多く使用する。画像圧縮を行うことで、限られた画像メモリ６６を有効に利用できる。
また、一度に多くの原稿画像データを記憶することができるため、ソート機能として、貯えられた原稿画像イメージデータをページ順に出力することができる。この場合、画像を出力する際に画像メモリ６６のデータをメモリコントローラ６５内の伸長装置で順次伸長しながら出力を行う。このような機能は一般に「電子ソート」と呼ばれている。
また画像メモリ６６の機能を利用して、複数枚の原稿画像を、画像メモリ６６の転写紙１枚分のエリアを分割したエリアに順次読み込むことも可能となる。例えば、４枚の原稿画像を、画像メモリ６６の転写紙１枚分の４等分されたエリアに順次書き込むことで、４枚の原稿が１枚の転写紙イメージに合成され集約されたコピー出力を得ることが可能となる。このような機能は一般に「集約コピー」と呼ばれている。
画像メモリ６６の画像はＣＰＵ６８からアクセス可能な構成となっている。このため、画像メモリ６６の内容を加工することが可能であり、例えば、画像の間引き処理、画像の切り出し処理等が行える。加工には、メモリコントローラ６５のレジスタにデータを書き込むことで画像メモリ６６の処理を行うことができる。加工された画像は再度画像メモリ６６に保持される。
画像メモリ６６は、処理を行う画像データの大きさにより複数のエリアに分割して画像データの入出力を同時に実行可能な構成をとっている。各分割したエリアに画像データの入力、出力をそれぞれ並列に実行可能にするためにメモリコントローラ６５とのインターフェースにリード用とライト用の２組のアドレス・データ線で接続されている。
これにより、エリア１に画像を入力（ライト）する間にエリア２より画像を出力（リード）するという動作が可能になる。また、画像メモリ６６の内容をＣＰＵ６８が読み出し、Ｉ／Ｏポート６７を経て、画像データ７３として操作部３０に転送することが可能な構成となっている。
【００１２】
一般に、操作部３０の画面表示解像度は低いため、画像メモリ６６の原画像は画像間引きが行われ、操作部３０に送られる。画像メモリ６６は、多くの画像データを収納するためハードディスクが用いられることもある。
ハードディスクを用いることにより、外部電源が不要で永久的に画像を保持できる特徴もある。複数の定型の原稿（フォーマット原稿）をスキャナで読み込み保持するためには、このハードディスクを用いるのが一般的である。
ここで、図６を用いて、セレクタ６４における１ページ分の画像信号について説明する。
／ＦＧＡＴＥは、１ページ画像データの副走査方向の有効期間を表している。／ＬＳＹＮＣは、１ライン毎の主走査同期信号であり、この信号が立ち上がった後の所定クロックで、画像信号が有効となる。
主走査方向の画像信号が有効であることを示す信号が、／ＬＧＡＴＥである。これらの信号は、画素クロックＶＣＬＫに同期しており、ＶＣＬＫの１周期に対し１画素８ビット（２５６階調）のデータが送られてくる。
本実施の形態では、転写紙への書込密度４００ｄｐｉ、最大画素数は主走査４８００画素、副走査６８００画素である。また本実施の形態では、画像データは２５５に近いほど白画像になるとする。
【００１３】
図７は本実施形態に係る画像形成装置のメインコントローラの内部構成を示した機能ブロック図である。
この図７に示すようにメインコントローラ（制御手段）２０には、コピーアプリケーション（コピーアプリ）８１、システムコントローラ８２、操作部コントローラ８３、周辺機器コントローラ８４、画像形成装置コントローラ８５、画像読取装置コントローラ８６、メモリユニット８７、入出力制御部８８、ＳＩＳＣコントローラ８９などを備えている。またシステムコントローラ８２内には、アプリ管理部９１、ロギング機能部９２、操作部制御部９３、ジョブ制御部９４、メモリ制御部９５、リソース管理部９６などの機能部が設けられている。
このようなメインコントローラ２０では、コピージョブを行う場合は、コピーアプリ８１はシステムコントローラ８２内のジョブ制御部９４に対してジョブ内容を通知する。これにより、ジョブ制御部９４は、リソース管理部９６やメモリ制御部９５と連携しながら支持されたジョブ内容を実行するようにしている。この場合、自動用紙選択機能（自動転写紙選択手段）はジョブ制御部９４が実行する。
また原稿サイズ（原稿サイズ検知手段）は画像読取装置コントローラ８６からシステムコントローラ８２のジョブ制御部９２に伝送される。また、給紙トレイのジョブ制御部９４から画像形成装置コントローラ８５に伝送される。またジョブ実行時のロギングカウンタはロギング機能により保持される。
【００１４】
以下、本実施の形態に係る画像形成装置の特徴的な動作例について説明する。
なお、以下に説明する本実施の形態に係る画像形成装置の動作は、主にシステムコントローラ８２のジョブ制御部９４がリソース管理部９６や操作部制御部９３、メモリ制御部９５などと連携しながら指示されたジョブ内容を実行することにより実現されるものである。
図８はコピー動作条件設定画面である表示画面を示した概略図である。
図８に示した表示画面８０は、コピー動作条件設定画面であり、動作条件の設定を行えるようになっている。例えば、図８では自動転写紙選択、自動濃度、等倍が設定されている。
図９は自動転写紙選択（ＡＰＳ）での原稿サイズ不定時を画面フローで示す図である。「コピーできます」の画面表示からスタートキー３４（図２参照）押下する。このとき、「コピーできます」及び「原稿サイズを選択してください」の画面表示が現れる。
ここでは原稿サイズが確定していないので、優先給紙トレイ（図ではトレイ２）を選択し、原稿サイズを選択する旨のガイダンスを表示し、中断状態に遷移する。この状態で再度スタートキー３４が押下されると、選択した優先給紙トレイの転写紙サイズを原稿サイズとみなし、コピー動作を開始する。中断状態で給紙トレイ選択されると、例えば、トレイ１ボタンを押下すると、自動用紙選択を解除すると共にガイダンスを非表示とする。
図１０は自動転写紙選択（ＡＰＳ）での原稿サイズ不定時を画面フローで示す図である。スタートキー３４押下時に原稿サイズが確定していないときは、給紙トレイごとの使用回数を参照し、優先給紙トレイが最も使用回数が少なかった場合は、最も使用回数の多いトレイ（図ではトレイ１）を選択する。
画面には原稿サイズが異なる場合はトレイ選択を促すことをガイダンスに表示し、中断状態に遷移する。この場合、優先給紙トレイはトレイ２であるが、使用回数の多いトレイ１を選択する。
この状態で再度スタートキー３４が押下されると、選択した給紙トレイの転写紙サイズを原稿サイズとみなし、コピー動作を開始する。中断状態で給紙トレイ選択されると、例えば、トレイ３ボタンが押下されると、自動用紙選択を解除すると共にガイダンスを非表示とする。
【００１５】
図１１は給紙トレイを使用回数順にソートする動作を説明するフローチャートである。図１１において、給紙トレイ段数を取得し、比較対象の個数を保持し、個数分のバッファを設け、トレイ１から割り当てる（Ｓ１）。対象トレイＮをトレイ２に指定する（Ｓ２）。
対象トレイＮの使用回数を取得する（Ｓ３）。比較対象となるトレイＣを対象トレイＮの１つ前のトレイに指定する（Ｓ４）。比較対象トレイＣの使用回数を取得する（Ｓ５）。
対象トレイＮと比較対象トレイＣの使用回数を比較する（Ｓ６）。対象トレイＮが比較対象トレイＣの使用回数よりも少ない場合は（Ｓ６「Ｙ」）、対象トレイＮと比較対象トレイＣの順序入れ替えを行い（Ｓ７）、比較対象トレイＣを現在のものから１つ前のトレイに指定して（Ｓ８）、ステップＳ９に進む。なお、対象トレイＮが比較対象トレイＣの使用回数よりも多い場合は（Ｓ６「Ｎ」）、ステップＳ７、Ｓ８の処理を行うことなくステップＳ９に進む。
ステップＳ９においては、比較するトレイが存在するかの判断を行い、比較するトレイが存在する場合は（Ｓ９「Ｎ」）、ステップＳ５に戻って処理を行う。
比較するトレイが存在しない場合は（Ｓ９「Ｙ」）、対象トレイＮの次のトレイに指定する（Ｓ１０）。対象とするトレイが存在するかの判断を行（Ｓ１１）、対象とするトレイが存在する場合は（Ｓ１０「Ｎ」）、ステップＳ３に戻って処理を行う。
この処理を行うことによりバッファ上では、使用回数の少ないトレイ順にソートされることになるので、最も使用回数の少ないトレイ、及び最も使用回数の多いトレイを得ることができる。
図１２は自動転写紙選択（ＡＰＳ）での原稿サイズ不定時を画面フローで示す図である。スタートキー３４押下時に原稿サイズが確定していないときは、給紙トレイごとの使用回数を参照し、優先給紙トレイが最も使用回数が少なかった場合は、ダイアログを表示し、中断状態に遷移する。
【００１６】
図１３はダイアログ表示画面を示す概略図である。
この画面９０には原稿サイズ候補が表示され、選択した原稿サイズでコピー動作を継続することと、コピー動作を中止することが選択できる。
ダイアログ表示時に継続ボタンが押下されると、ダイアログを非表示にし、選択された原稿サイズから転写紙サイズを確定し、転写紙サイズの給紙トレイを選択し、コピー動作を開始する。ダイアログ表示時に中止ボタンが押下されると、ダイアログを非表示にし、コピー動作を中止にする。
図１４はダイアログ表示動作を説明するフローチャートである。
ダイアログ表示か否かの判断を行い（Ｓ２１）、ダイアログ表示でなければ（Ｓ２１「Ｎ」）、この処理を抜ける。ダイアログ表示であれば（Ｓ２１「Ｙ」）、各仕向けに対応した原稿サイズテーブルを参照する（Ｓ２２〜Ｓ２６）。例えば、サイズ仕向けが国内かどうかを判断し（Ｓ２２）、国内でないならば（Ｓ２２「Ｎ」）、サイズ仕向けが北米かどうかを判断し（Ｓ２４）、北米でないならば（Ｓ２４「Ｎ」）、欧州原稿サイズテーブルを参照する（Ｓ２６）。
サイズ仕向けが国内であるならば（Ｓ２２「Ｙ」）、国内原稿サイズテーブルを参照し（Ｓ２３）、サイズ仕向けが北米であるならば（Ｓ２４「Ｙ」）、北米原稿サイズテーブルを参照する（Ｓ２５）。
次に、対象原稿サイズを原稿サイズテーブルの先頭に指定し（Ｓ２７）、選択候補ボタンの原稿サイズ指定を行った後（Ｓ２８）。原稿サイズテーブルの対象原稿サイズを１つ進める（Ｓ２９）。
次に、対象原稿サイズが原稿サイズテーブルの終端かの判断を行い（Ｓ３０）、終端でなければ（Ｓ３０「Ｎ」）、ステップＳ２８の処理から行う。対象原稿サイズが原稿サイズテーブルの終端であれば（Ｓ３０「Ｙ」）、ダイアログ画面表示を行う（Ｓ３１）。
【００１７】
図１５はダイアログ表示画面を示す概略図である。この画面には原稿サイズ候補が表示され、選択した原稿サイズでコピー動作を継続することと、コピー動作を中止することが選択できる。原稿サイズ候補は、使用回数の多い給紙トレイの転写紙サイズと一致するものから表示されるものとする。
ダイアログ表示時に継続ボタンが押下されると、ダイアログを非表示にし、選択された原稿サイズから転写紙サイズを確定し、転写紙サイズの給紙トレイを選択し、コピー動作を開始する。ダイアログ表示時に中止ボタンが押下されると、ダイアログを非表示にし、コピー動作を中止にする。
図１６はダイアログ表示動作を説明するフローチャートである。ダイアログ表示か否かの判断を行い（Ｓ４１）、ダイアログ表示でなければ（Ｓ４１「Ｎ」）、この処理を抜ける。ダイアログ表示であれば（Ｓ４１「Ｙ」）、各仕向けに対応した原稿サイズテーブルを参照する（Ｓ４２〜Ｓ４６）。例えば、サイズ仕向けが国内かどうかを判断し（Ｓ４２）、国内でないならば（Ｓ４２「Ｎ」）、サイズ仕向けが北米かどうかを判断し（Ｓ４４）、北米でないならば（Ｓ４４「Ｎ」）、欧州原稿サイズテーブルを参照する（Ｓ４６）。
一方、サイズ仕向けが国内であるならば（Ｓ４２「Ｙ」）、国内原稿サイズテーブルを参照し（Ｓ４３）、サイズ仕向けが北米であるならば（Ｓ４４「Ｙ」）、北米原稿サイズテーブルを参照する（Ｓ４５）。
次に、対象原稿サイズを原稿サイズテーブルの先頭に指定した後（Ｓ４７）、給紙トレイの転写紙サイズを使用回数の多い順に選択候補ボタンの原稿サイズとして指定する（Ｓ４８）。
次いで、対象原稿サイズが給紙トレイの転写紙サイズと一致しているかの判断を行い（Ｓ４９）、一致していれば（Ｓ４９「Ｎ」）、ステップＳ５０の処理をスキップする。選択候補ボタンの原稿サイズ指定を行う（Ｓ５０）。原稿サイズテーブルの対象原稿サイズを１つ進める（Ｓ５１）。
対象原稿サイズが原稿サイズテーブルの終端かの判断を行う（Ｓ５２）。終端でなければ（Ｓ５２「Ｎ」）、ステップＳ４９の処理から行う。対象原稿サイズが原稿サイズテーブルの終端であれば（Ｓ５２「Ｙ」）、ダイアログ画面表示を行う（Ｓ５３）。
上述した実施の形態は各給紙トレイの使用回数を比較しているので、機器搬入直後などはサンプリング個数が足りなく、ユーザの使用頻度情報として意味を持たないことがあり得る。
そのため、サンプリング個数の閾値を設け、自動転写紙選択での原稿サイズ不定時には、全給紙トレイの使用回数の合計が、この閾値に達しているかを見て、達していない場合は優先給紙トレイを選択するものとする。
【００１８】
図１７は全給紙トレイの使用回数の合計を算出する動作を説明するフローチャートである。給紙トレイ段数を取得し、加算対象の個数を保持する（Ｓ６１）。
対象トレイＮをトレイ１に指定する（Ｓ６２）。算出する全給紙トレイの使用回数Ｔを初期化する（Ｓ６３）。対象トレイＮの使用回数を取得する（Ｓ６４）。
全給紙トレイの使用回数Ｔに対象トレイＮの使用回数を加算する（Ｓ６５）。対象トレイＮを現在のものから１つ進める（Ｓ６６）。対象トレイＮが存在するかの判断を行い（Ｓ６７）、対象トレイＮが存在する場合は（Ｓ６７「Ｎ」）、ステップＳ６４の処理から行う。
このような本実施の形態の画像形成装置によれば、初期設定で設定されている優先給紙トレイの使用回数が最も少ないときに、原稿サイズ選択画面を表示し、選択された原稿サイズから給紙トレイを選択することにより、ユーザが期待しているサイズ選択を行うことが可能となる。
また、本実施の形態によれば、初期設定で設定されている優先給紙トレイの使用回数が最も少ないときに、選択項目を給紙トレイ使用回数の多い順に並べた原稿サイズ選択画面を表示し、選択された原稿サイズから給紙トレイを選択することにより、ユーザの期待したサイズ選択を行い易くすることが可能となる。
さらに、本実施の形態によれば、全給紙トレイ使用回数が少ない場合には、給紙トレイ使用回数を参照しないので、機器搬入直後の無用なトレイ選択を抑止することが可能となる。
【図面の簡単な説明】
【００１９】
【図１】本発明による画像形成装置の実施の形態を示す概略図である。
【図２】操作部を示す概略図である。
【図３】図２に示した操作部の液晶タッチパネルの表示例を示す概略図である。
【図４】メインコントローラを中心に、制御装置を示す概略図である。
【図５】画像処理ユニット（ＩＰＵ）の内部構成を示すブロック図である。
【図６】セレクタにおける１ページ分の画像信号について説明するタイミングチャートである。
【図７】メインコントローラの機能ブロック図である。
【図８】コピー動作条件設定画面である表示画面を示す概略図である。
【図９】自動転写紙選択（ＡＰＳ）での原稿サイズ不定時を画面フローで示す図である。
【図１０】自動転写紙選択（ＡＰＳ）での原稿サイズ不定時を画面フローで示す図である。
【図１１】給紙トレイを使用回数順にソートする動作を説明するフローチャートである。
【図１２】自動転写紙選択（ＡＰＳ）での原稿サイズ不定時を画面フローで示す図である。
【図１３】ダイアログ表示画面を示す概略図である。
【図１４】ダイアログ表示動作を説明するフローチャートである。
【図１５】ダイアログ表示画面を示す概略図である。
【図１６】ダイアログ表示動作を説明するフローチャートである。
【図１７】全給紙トレイの使用回数の合計を算出する動作を説明するフローチャートである。
【符号の説明】
【００２０】
８  第１給紙トレイ（トレイ１）、９  第２給紙トレイ（トレイ２）、１０  第３給紙トレイ（トレイ３）、２０  メインコントローラ、３０  操作部、３１  液晶タッチパネル、４２  機能キー、４９  画像処理ユニット（ＩＰＵ）、６８  ＣＰＵ、８１  コピーアプリ、８２  システムコントローラ、８３  操作部コントローラ、８４  周辺機器コントローラ、８５  画像形成装置コントローラ、８６  画像読取装置コントローラ、８７  メモリユニット、８８  入出力制御部、８９  ＳＩＳＣコントローラ、９１  アプリ管理部、９２  ロギング機能部、９３  操作部制御部、９４  ジョブ制御部、９５  メモリ制御部、９６  リソース管理部
【図１】
2006184328.tif 000003
【図２】
2006184328.tif 000004
【図３】
2006184328.tif 000005
【図４】
2006184328.tif 000006
【図５】
2006184328.tif 000007
【図６】
2006184328.tif 000008
【図７】
2006184328.tif 000009
【図８】
2006184328.tif 000010
【図９】
2006184328.tif 000011
【図１０】
2006184328.tif 000012
【図１１】
2006184328.tif 000013
【図１２】
2006184328.tif 000014
【図１３】
2006184328.tif 000015
【図１４】
2006184328.tif 000016
【図１５】
2006184328.tif 000017
【図１６】
2006184328.tif 000018
【図１７】
2006184328.tif 000019